(57)【要約】  無線通信ダウンリンク参照信号のコーディング方式の提供を本明細書で説明する。たとえば、専用参照信号は、参照信号がその中で伝送されるセルの識別子（ＩＤ）（１１２）（２１０）の関数として無線チャネルのリソースにマッピングされる（１０８）（２０４）。この関数は、共通参照信号に使用されるマッピング関数に類似するものとすることができ、あるいは、そのような関数とは別個とすることもできる。後者の一例として、専用参照信号マッピング関数を、共通参照信号マッピング関数に関して時間または周波数においてシフトすることができる。セルＩＤに基づくマッピング関数を使用することによって、参照信号の同時伝送によって引き起こされる雑音を、無線網内の端末によってたやすく判定される形で軽減することができる。
2011519509.tif 000002
【特許請求の範囲】
【請求項１】
専用参照信号の系列を生成するのにデータプロセッサを使用することと、
セルの識別子（ＩＤ）の関数として無線チャネルのリソースに前記専用参照信号系列をマッピングするのに前記データプロセッサを使用することと
を備える、無線通信の方法。
【請求項２】
前記無線チャネルのリソースに前記系列をマッピングするために単一のアンテナポートに割り当てられたリソースブロックを使用することをさらに備える、請求項１に記載の方法。
【請求項３】
前記系列をマッピングするために第４アンテナまたは第５アンテナのいずれかに割り当てられたリソースブロックを使用することをさらに備える、請求項１に記載の方法。
【請求項４】
前記関数は、前記無線チャネルの前記リソースに前記系列をマッピングするために前記セルＩＤに基づいて時間または周波数におけるシフトを提供する、請求項１に記載の方法。
【請求項５】
前記専用参照信号がＭＢＳＦＮ参照信号またはＵＥ固有参照信号のいずれであるのかに基づいて前記関数を選択することをさらに備える、請求項４に記載の方法。
【請求項６】
前記セルＩＤの第２関数として前記無線チャネルの他のリソースに共通参照信号をマッピングするのに前記データプロセッサを使用することをさらに備える、請求項１に記載の方法。
【請求項７】
前記関数および前記第２関数は、前記セルＩＤに対する共通の依存性を有する、請求項６に記載の方法。
【請求項８】
前記専用参照信号または前記共通参照信号に関するダウンリンク複数アンテナ伝送を容易にするために複数の送信アンテナのセットの中で前記専用参照信号または前記共通参照信号を分配することをさらに備える、請求項６に記載の方法。
【請求項９】
前記ダウンリンク複数アンテナ伝送に関連する前記セルＩＤとして仮想セルＩＤを使用することをさらに備える、請求項８に記載の方法。
【請求項１０】
前記仮想セルＩＤは、アンテナの前記セットの中で共通であり、前記セットのそれぞれの送信アンテナによって伝送されるそれぞれの信号について一致するリソースシフトを作り、さらに、アンテナの前記セットは、１つまたは複数の基地局に配置される、請求項９に記載の方法。
【請求項１１】
前記一致するリソースシフトは、それぞれの各アンテナで前記仮想セルＩＤに基づく実質的に同一の周波数におけるシフトである、請求項１０に記載の方法。
【請求項１２】
無線通信において参照信号を提供するために構成されたモジュールのセットを実行するデータプロセッサであって、モジュールの前記セットは、
専用参照信号の系列を生成する計算モジュールと、
物理層セルＩＤの関数として無線チャネルのリソースエレメントに前記専用参照信号の記号を割り当てるマッピングモジュールと、
前記関数または前記物理層セルＩＤを格納するメモリと
を備える、データプロセッサ
を備える、無線通信の装置。
【請求項１３】
参照信号記号の割当てのために前記無線チャネルのリソースブロックを選択する割当てモジュールをさらに備える、請求項１２に記載の装置。
【請求項１４】
前記割当てモジュールは、前記専用参照信号によって使用されるアンテナポートに基づいて前記リソースブロックを選択する、請求項１３に記載の装置。
【請求項１５】
前記マッピングモジュールによって使用される前記セルＩＤの前記関数を選択するリソースモジュールをさらに備える、請求項１２に記載の装置。
【請求項１６】
前記リソースモジュールは、ＭＢＳＦＮ参照信号およびＵＥ固有参照信号を割り振るために共通の関数を選択する、請求項１５に記載の装置。
【請求項１７】
前記関数は、ＭＢＳＦＮ信号用の特定のリソースシフトを提供し、ＵＥ固有信号用の異なるリソースシフトを提供する、請求項１２に記載の装置。
【請求項１８】
前記計算モジュールは、共通セル固有参照の系列を生成し、
前記マッピングモジュールは、前記物理層セルＩＤの第２関数として前記無線チャネルのリソースエレメントに前記共通セル固有参照の記号を割り当てる
請求項１２に記載の装置。
【請求項１９】
多重アンテナ通信配置のそれぞれのアンテナに前記専用参照信号のコピーまたは前記共通セル固有参照のコピーを提供する分配モジュールをさらに備える、請求項１８に記載の装置。
【請求項２０】
前記物理層セルＩＤは、前記多重アンテナ通信配置の各アンテナに共通の仮想ＩＤであり、さらに、前記配置のそれぞれのアンテナは、１つまたは複数の基地局に配置される、請求項１９に記載の装置。
【請求項２１】
前記仮想ＩＤは、前記それぞれのアンテナの間で共通のリソースシフトを有するチャネルリソースエレメントに参照信号記号を割り当てることを可能にし、雑音は、前記多重アンテナ通信配置の伝送と前記配置またはそのそれぞれのアンテナの他の伝送との間でランダム化される、請求項２０に記載の装置。
【請求項２２】
専用参照信号の系列を生成するのにデータプロセッサを使用するための手段と、
セルＩＤの関数として無線チャネルのリソースに前記専用参照信号系列をマッピングするのに前記データプロセッサを使用するための手段と
を備える、無線通信の装置。
【請求項２３】
前記セルＩＤの第２関数に基づいて前記無線チャネルの追加リソースに共通参照信号をマッピングするのに前記データプロセッサを使用するための手段をさらに備える、請求項２２に記載の装置。
【請求項２４】
前記専用参照信号系列のコピーまたは共通参照信号系列のコピーを前記多重アンテナ配置のそれぞれのアンテナに分配するための手段と、
前記分配される信号系列のそれぞれのコピーの記号をマッピングする際に一致する周波数シフトを作る、前記多重アンテナ配置の各アンテナに共通する仮想ＩＤとして前記セルＩＤを確立するための手段と
をさらに備える、請求項２２に記載の装置。
【請求項２５】
コンピュータに、専用参照信号の系列を生成させるコードの第１セットと、
前記コンピュータに、セルＩＤの関数として無線チャネルのリソースに前記専用参照信号系列をマッピングさせるコードの第２セットと
を備えるコンピュータ可読媒体
を備えるコンピュータプログラム製品。
【請求項２６】
前記コンピュータに、共通参照信号に関して前記マッピングを周波数においてシフトさせるコードの第３セットをさらに備える、請求項２５に記載のコンピュータプログラム製品。
【請求項２７】
前記コンピュータに、前記専用参照信号系列のコピーまたは共通参照信号系列のコピーを多重アンテナ配置のそれぞれのアンテナに分配させるコードの第３セットと、
前記コンピュータに、前記分配される信号系列のそれぞれのコピーの記号をマッピングする際に一致する周波数シフトを作る、前記多重アンテナ配置の各アンテナに共通する仮想ＩＤとして前記セルＩＤを確立させるコードの第４セットと
をさらに備える、請求項２５に記載のコンピュータプログラム製品。
【請求項２８】
受信された無線信号の記号を分析するのにデータプロセッサを使用することと、
専用参照信号に関係する前記分析された信号内の命令を識別するのに前記データプロセッサを使用することと、
前記受信された無線信号を伝送するセルのＩＤの関数として前記専用参照信号を復号するのに前記データプロセッサを使用することと
を備える、無線通信の方法。
【請求項２９】
非物理シグナリング層で前記命令を識別することをさらに備える、請求項２８に記載の方法。
【請求項３０】
ＵＥ固有参照信号またはＭＢＳＦＮ参照信号として前記専用参照信号を識別することをさらに備える、請求項２８に記載の方法。
【請求項３１】
前記ＵＥ固有参照信号を復号するのに前記セルＩＤの第１関数を使用し、前記ＭＢＳＦＮ参照信号を復号するのに前記セルＩＤの第２関数を使用することをさらに備える、請求項３０に記載の方法。
【請求項３２】
前記ＵＥ固有参照信号および前記ＭＢＳＦＮ参照信号を復号するのに前記セルＩＤの共通の関数を使用することをさらに備える、請求項３０に記載の方法。
【請求項３３】
前記受信された無線信号から共通参照信号を入手することと、
前記共通参照信号を復号するのに前記セルＩＤの前記関数を使用すること、または
前記共通参照信号を復号するのに前記セルＩＤの周波数シフトされた変形を使用すること
のうちの少なくとも１つと
をさらに備える、請求項２８に記載の方法。
【請求項３４】
無線信号を受信する無線通信インターフェースと、
受信された無線データを分析するために構成されたモジュールのセットを実行するデータプロセッサであって、モジュールの前記セットは、
専用参照信号に関係する前記受信された無線信号内の命令を識別する解析モジュールと、
前記受信された無線信号を伝送するセルのＩＤの関数として前記専用参照信号を復号する分析モジュールと
を備える、データプロセッサと
を備える、無線通信の装置。
【請求項３５】
前記解析モジュールは、物理層プロトコル以外のシグナリング層プロトコルから前記命令を識別する、請求項３４に記載の装置。
【請求項３６】
前記解析モジュールは、ＭＢＳＦＮ信号またはＵＥ固有信号として前記専用参照信号を判定する、請求項３４に記載の装置。
【請求項３７】
前記ＵＥ固有参照信号を復号するのに前記セルＩＤの第１関数を使用し、前記ＭＢＳＦＮ参照信号を復号するのに前記セルＩＤの第２関数を使用する選択モジュールをさらに備える、請求項３６に記載の装置。
【請求項３８】
前記第１関数および前記第２関数は、前記セルＩＤに基づいて異なるリソースシフトまたは共通のリソースシフトのいずれかを提供する、請求項３７に記載の装置。
【請求項３９】
前記無線信号は、共通参照信号を備え、
前記分析モジュールは、前記共通参照信号を復号するのに、前記セルＩＤの前記関数または前記セルＩＤの前記関数の周波数シフトされた変形を使用する
請求項３４に記載の装置。
【請求項４０】
受信された無線信号の記号を分析するのにデータプロセッサを使用するための手段と、
専用参照信号に関係する前記分析された信号内の命令を識別するのに前記データプロセッサを使用するための手段と、
前記受信された無線信号を伝送するセルのＩＤの関数として前記専用参照信号を復号するのに前記データプロセッサを使用するための手段と
を備える、無線通信の装置。
【請求項４１】
前記受信された無線信号から共通参照信号を入手するための手段と、
前記共通参照信号を復号するのに前記セルＩＤの前記関数を使用するための手段、または
前記共通参照信号を復号するのに前記セルＩＤの前記関数の周波数シフトされた変形を使用するための手段
のうちの少なくとも１つと
をさらに備える、請求項４０に記載の装置。
【請求項４２】
コンピュータに、受信された無線信号の記号を分析するのにデータプロセッサを使用させるコードの第１セットと、
前記コンピュータに、専用参照信号に関係する前記分析された信号内の命令を識別するのに前記データプロセッサを使用させるコードの第２セットと、
前記コンピュータに、前記受信された無線信号を伝送するセルのＩＤの関数として前記専用参照信号を復号するのに前記データプロセッサを使用させるコードの第３セットと
を備えるコンピュータ可読媒体
を備えるコンピュータプログラム製品。
【請求項４３】
前記コンピュータに、前記受信された無線信号から共通参照信号を入手させるコードの第４セットと、前記コンピュータに、
前記共通参照信号を復号するのに前記セルＩＤの前記関数を使用すること、または
前記共通参照信号を復号するのに前記セルＩＤの前記関数の周波数シフトされた変形を使用すること
のうちの少なくとも１つを行わせるコードの第５セットと
をさらに備える、請求項４２に記載のコンピュータプログラム製品。
【請求項４４】
複数の共通リソース信号エレメントを備える共通参照信号リソースエレメントのセットを生成するのにデータプロセッサを使用することと、
複数の専用リソース信号エレメントを備える専用参照信号リソースエレメントのセットを生成するのに前記データプロセッサを使用することであって、共通リソース信号エレメントの個数は、専用リソース信号エレメントの個数と異なる、使用することと
を備える、無線通信で使用される方法。
【請求項４５】
少なくとも１つの専用リソース信号エレメントおよび少なくとも１つの共通リソース信号エレメントに異なる出力を使用することをさらに備える、請求項４４に記載の方法。
【請求項４６】
無線通信を容易にするための命令を実行するデータプロセッサであって、前記命令は、前記データプロセッサに、
複数の共通リソース信号エレメントを備える共通参照信号リソースエレメントのセットを生成させ、
複数の専用リソース信号エレメントを備える専用参照信号リソースエレメントのセットを生成させ、共通リソース信号エレメントの個数は、専用リソース信号エレメントの個数と異なる、データプロセッサと、
前記命令を格納するメモリと
を備える、無線通信で使用される装置。
【請求項４７】
少なくとも１つの専用リソース信号エレメントおよび少なくとも１つの共通リソース信号エレメントに異なる出力を使用する、請求項４６に記載の装置。
【請求項４８】
複数の共通リソース信号エレメントを備える共通参照信号リソースエレメントのセットを生成するのにデータプロセッサを使用するための手段と、
複数の専用リソース信号エレメントを備える専用参照信号リソースエレメントのセットを生成するのに前記データプロセッサを使用するための手段であって、共通リソース信号エレメントの個数は、専用リソース信号エレメントの個数と異なる、使用するための手段と
を備える、無線通信で使用される装置。
【請求項４９】
少なくとも１つの専用リソース信号エレメントおよび少なくとも１つの共通リソース信号エレメントに異なる出力を使用するための手段をさらに備える、請求項４８に記載の装置。
【請求項５０】
コンピュータに、複数の共通リソース信号エレメントを備える共通参照信号リソースエレメントのセットを生成するのにデータプロセッサを使用させるコードの第１セットと、
前記コンピュータに、複数の専用リソース信号エレメントを備える専用参照信号リソースエレメントのセットを生成するのに前記データプロセッサを使用させるコードの第２セットであって、共通リソース信号エレメントの個数は、専用リソース信号エレメントの個数と異なる、コードの第２セットと
を備えるコンピュータ可読媒体
を備えるコンピュータプログラム製品。
【発明の詳細な説明】
【優先権の主張】
【０００１】
米国特許法第１１９条の下での優先権の主張
本特許出願は、その全体が参照によって本明細書に明示的に組み込まれている、２００８年３月２５日に出願した米国仮出願第６１／０３９，４１２号、名称「ＭＥＴＨＯＤＳ  ＡＮＤ  ＤＥＶＩＣＥＳ  ＦＯＲ  ＳＥＮＤＩＮＧ  ＡＮＤ  ＲＥＣＥＩＶＩＮＧ  ＤＥＤＩＣＡＴＥＤ  ＲＥＦＥＲＥＮＣＥ  ＳＩＧＮＡＬＳ」に対する優先権を主張するものである。
【技術分野】
【０００２】
以降は、全般的には無線通信に関し、より具体的には、改善された無線通信のための専用参照信号のコーディングおよび復号に関する。
【背景技術】
【０００３】
無線通信システムは、たとえば、音声コンテンツ、データコンテンツ、ビデオコンテンツ、パケットデータサービス、ブロードキャストサービス、メッセージングサービス、マルチメディアサービス、その他など、さまざまなタイプの通信コンテンツおよびサービスを提供するために幅広く展開されている。通常、無線通信システムは、使用可能なシステムリソース（たとえば、帯域幅、伝送出力）を共用することによって複数のユーザとの通信をサポートできる多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および類似物を含むことができる。
【０００４】
一般に、無線多元接続通信システムは、複数の移動体デバイスに関する通信を同時にサポートすることができる。各移動体デバイスは、順方向リンクおよび逆方向リンク上での伝送を介して１つまたは複数の基地局と通信することができる。順方向リンク（またはダウンリンク）は、基地局から移動体デバイスへの通信リンクを指し、逆方向リンク（またはアップリンク）は、移動体デバイスから基地局への通信リンクを指す。さらに、移動体デバイスと基地局との間の通信を、ＳＩＳＯ（single-in-single-out）システム、ＭＩＳＯ（multiple-in-single-out）システム、またはＭＩＭＯ（multiple-in-multiple-out）システムを介して確立することができる。
【０００５】
無線通信を容易にするために、無線基地局は、無線通信システム内で動作する端末に参照信号を伝送することができる。参照信号は、伝送される記号をランダム化し、雑音および無線通信システム内の同時伝送の間の干渉を減らすのに使用されるコーディング系列を備える。さらに、端末は、伝送された記号を復号するのにこれらの参照信号系列を使用することができる。したがって、最初に無線システムに入るときに、端末は、通常、コーディング／復号情報を含む参照信号を入手するために、受信した無線信号を分析する。
【０００６】
現代の無線通信システムでは、基地局は、その基地局によってサービスされるほとんどまたはすべての端末によって使用される一般参照信号、ならびに特定の通信コンテンツのために、特定の無線サービスのために、または端末の特定のセットもしくは個々の端末のためにすら専用参照信号を伝送することができる。さらに、基地局が複数のアンテナを有する（たとえば、ＭＩＭＯシステムまたは指向性ビームフォーミングシステム）場合には、各アンテナは、端末のセットにサービスするために参照信号のセットを使用することができる。したがって、単一の無線サービスエリアが、１つまたは複数の源からの多数の参照信号の同時伝送を有することができる。
【０００７】
雑音および参照信号の間の干渉を軽減するために、無線チャネルの別個のリソースに参照信号記号を割り当てるのにコーディング系列を使用することができる。しかし、セル内の参照信号の数が増えるときに、各参照を区別するのに十分な個数の従来の符号が存在しない場合がある。さらに、あるシステム内で動作する移動体端末が、参照信号符号がそのデバイス上のソフトウェアまたはファームウェア内で事前にプログラムされることを必要とする場合がある。したがって、あるシステムでの新しいコーディング方式の追加が、レガシ端末にとって制限的であることがわかる可能性がある。したがって、少なくとも前述の短所を軽減する参照信号コーディング方式が望ましい。
【発明の概要】
【０００８】
以降は、１つまたは複数の態様の基本的な理解を提供するために、そのような態様の単純化された概要を提示するものである。この概要は、すべての企図された態様の広範囲の概観ではなく、すべての態様の主要な要素またはクリティカルな要素を識別することも、いずれかまたはすべての態様の範囲を区切ることも意図されてはいない。その唯一の目的は、後で提示される、より詳細な説明の前置きとして、単純化された形で１つまたは複数の態様のいくつかの概念を提示することである。
【０００９】
本開示のいくつかの態様によれば、サポートされる参照信号と端末のタイプとの両方に関してスケーラビリティを可能にする無線通信ダウンリンク参照信号のコーディング方式が提供される。少なくとも１つの態様では、専用参照信号が、参照信号がその中で伝送されるセルの識別子（ＩＤ）の関数として無線チャネルのリソースにマッピングされる。この関数は、セル固有参照信号に使用されるマッピング関数に類似するものとすることができ、あるいは、そのような関数とは別個とすることもできる。後者の一例として、専用マッピング関数を、セル固有マッピング関数に関して時間または周波数においてシフトすることができる。さらなる例として、専用参照信号は、ユーザ機器固有（ＵＥ固有）参照信号、ＭＢＳＦＮ（multicast-broadcast single frequency network）参照信号、または類似物を含むことができる。
【００１０】
本開示の追加の態様によれば、多重アンテナ通信システムに適用できるスケーラブルコーディングアーキテクチャが提供される。そのようなシステムは、共通の基地局に配置された複数のアンテナまたは別々の基地局に配置されたアンテナのセットを含むことができる。多重アンテナシステムのそれぞれのアンテナは、参照信号コーディングのために共通の仮想セルＩＤを使用することができる。したがって、それぞれの参照信号成分を、仮想セルＩＤに応じて、同様の形でコーディングすることができる。
【００１１】
本開示の少なくとも１つの態様では、無線通信の方法が提供される。この方法は、専用参照信号の系列を生成するのにデータプロセッサを使用することを備えることができる。この方法は、さらに、セルのＩＤの関数として無線チャネルのリソースに専用参照信号系列をマッピングするのにデータプロセッサを使用することを備えることができる。
【００１２】
他の態様では、無線通信の装置が開示される。この装置は、無線通信において参照信号を提供するために構成されたモジュールのセットを実行するデータプロセッサを備えることができる。具体的に言うと、モジュールのセットは、専用参照信号の系列を生成する計算モジュールと、物理層セルＩＤの関数として無線チャネルのリソースエレメントに専用参照信号の記号を割り当てるマッピングモジュールとを備えることができる。さらに、この装置は、関数または物理層セルＩＤを格納するメモリを備えることができる。
【００１３】
本明細書で説明されるさらなる態様は、無線通信の装置を提供する。この装置は、専用参照信号の系列を生成するのにデータプロセッサを使用するための手段を備えることができる。さらに、この装置は、セルＩＤの関数として無線チャネルのリソースに専用参照信号系列をマッピングするのにデータプロセッサを使用するための手段を備えることができる。
【００１４】
追加の態様によれば、無線通信のために構成された少なくとも１つのプロセッサが提供される。このプロセッサ（１つまたは複数）は、専用参照信号の系列を生成するモジュールを備えることができる。さらに、このプロセッサ（１つまたは複数）は、セルＩＤの関数として無線チャネルのリソースに専用参照信号系列をマッピングするモジュールを備えることができる。
【００１５】
少なくとも１つの他の態様では、本開示は、コンピュータ可読媒体を備えるコンピュータプログラム製品を提供する。このコンピュータ可読媒体は、コンピュータに、専用参照信号の系列を生成させるコードの第１セットを備えることができる。さらに、このコンピュータ可読媒体は、コンピュータに、セルＩＤの関数として無線チャネルのリソースに専用参照信号系列をマッピングさせるコードの第２セットを備えることができる。
【００１６】
少なくとも１つの開示される態様では、無線通信の方法が提供される。この方法は、受信された無線信号の記号を分析するのにデータプロセッサを使用することを備えることができる。さらに、この方法は、専用参照信号に関係する分析された信号内の命令を識別するのにデータプロセッサを使用することを備えることができる。さらに、この方法は、受信された無線信号を伝送するセルのＩＤの関数として専用参照信号を復号するのにデータプロセッサを使用することを備えることができる。
【００１７】
他の態様では、無線通信の装置が提供される。この装置は、無線信号を受信する無線通信インターフェースを備えることができる。さらに、この装置は、受信された無線データを分析するために構成されたモジュールのセットを実行するデータプロセッサを備えることができる。具体的に言うと、モジュールのセットは、専用参照信号に関係する受信された無線信号内の命令を識別する解析モジュールと、受信された無線信号を伝送するセルのＩＤの関数として専用参照信号を復号する復調モジュールとを含むことができる。
【００１８】
他の態様では、本開示は、無線通信の装置を提供する。この装置は、受信された無線信号の記号を分析するのにデータプロセッサを使用するための手段を備えることができる。さらに、この装置は、専用参照信号に関係する分析された信号内の命令を識別するのにデータプロセッサを使用するための手段を備えることができる。上記に加えて、この装置は、受信された無線信号を伝送するセルのＩＤの関数として専用参照信号を復号するのにデータプロセッサを使用するための手段を備えることができる。
【００１９】
１つまたは複数の追加の態様では、無線通信のために構成された少なくとも１つのプロセッサが提供される。このプロセッサ（１つまたは複数）は、受信された無線信号の記号を分析するのにデータプロセッサを使用するモジュールを備えることができる。このプロセッサ（１つまたは複数）は、専用参照信号に関係する分析された信号内の命令を識別するのにデータプロセッサを使用するモジュールをさらに備えることができる。さらに、このプロセッサ（１つまたは複数）は、受信された無線信号を伝送するセルのＩＤの関数として専用参照信号を復号するのにデータプロセッサを使用するモジュールを備えることができる。
【００２０】
もう１つの態様によれば、本開示は、コンピュータ可読媒体を備えるコンピュータプログラム製品を提供する。このコンピュータ可読媒体は、コンピュータに、受信された無線信号の記号を分析するのにデータプロセッサを使用させるコードの第１セットを備えることができる。さらに、このコンピュータ可読媒体は、コンピュータに、専用参照信号に関係する分析された信号内の命令を識別するのにデータプロセッサを使用させるコードの第２セットを備えることができる。さらに、このコンピュータ可読媒体は、コンピュータに、受信された無線信号を伝送するセルのＩＤの関数として専用参照信号を復号するのにデータプロセッサを使用させるコードの第３セットを備えることができる。
【００２１】
本明細書で提供される１つまたは複数の他の態様によれば、無線通信で使用される方法が開示される。この方法は、複数の共通リソース信号エレメントを備える共通参照信号リソースエレメントのセットを生成するのにデータプロセッサを使用することを備えることができる。この方法は、複数の専用リソース信号エレメントを備える専用参照信号リソースエレメントのセットを生成するのにデータプロセッサを使用することであって、共通リソース信号エレメントの個数は、専用リソース信号エレメントの個数と異なる、使用することをも備えることができる。
【００２２】
１つまたは追加の態様では、無線通信で使用される装置が開示される。この装置は、無線通信を容易にするための命令を実行するデータプロセッサを備えることができる。具体的に言うと、この命令は、データプロセッサに、複数の共通リソース信号エレメントを備える共通参照信号リソースエレメントのセットを生成させることができる。さらに、この命令は、データプロセッサに、複数の専用リソース信号エレメントを備える専用参照信号リソースエレメントのセットを生成させることができ、共通リソース信号エレメントの個数は、専用リソース信号エレメントの個数と異なる。上記に加えて、この装置は、命令を格納するメモリを備えることができる。
【００２３】
他の開示される態様では、無線通信で使用される装置が提供される。この装置は、複数の共通リソース信号エレメントを備える共通参照信号リソースエレメントのセットを生成するのにデータプロセッサを使用するための手段を備えることができる。さらに、この装置は、複数の専用リソース信号エレメントを備える専用参照信号リソースエレメントのセットを生成するのにデータプロセッサを使用するための手段であって、共通リソース信号エレメントの個数は、専用リソース信号エレメントの個数と異なる、使用するための手段を備えることができる。
【００２４】
さらなる態様によれば、無線通信のために構成された少なくとも１つのプロセッサが提供される。このプロセッサ（１つまたは複数）は、複数の共通リソース信号エレメントを備える共通参照信号リソースエレメントのセットを生成するのにデータプロセッサを使用するモジュールを備えることができる。さらに、このプロセッサ（１つまたは複数）は、複数の専用リソース信号エレメントを備える専用参照信号リソースエレメントのセットを生成するのにデータプロセッサを使用するモジュールであって、共通リソース信号エレメントの個数は、専用リソース信号エレメントの個数と異なる、モジュールを備えることができる。
【００２５】
少なくとも１つの他の態様によれば、本開示は、コンピュータ可読媒体を備えるコンピュータプログラム製品を提供する。このコンピュータ可読媒体は、コンピュータに、複数の共通リソース信号エレメントを備える共通参照信号リソースエレメントのセットを生成するのにデータプロセッサを使用させるコードの第１セットを備えることができる。このコンピュータ可読媒体は、コンピュータに、複数の専用リソース信号エレメントを備える専用参照信号リソースエレメントのセットを生成するのにデータプロセッサを使用させるコードの第２セットであって、共通リソース信号エレメントの個数は、専用リソース信号エレメントの個数と異なる、コードの第２セットをも備えることができる。
【００２６】
前述の目的および関連する目的の達成に向けて、１つまたは複数の態様は、後で十分に説明され、特許請求の範囲で特に指摘される特徴を備える。次の説明および添付図面は、１つまたは複数の態様の、ある例示的な態様を詳細に示す。しかし、これらの態様は、さまざまな態様の原理を使用できるさまざまな形のうちの少数のみを示し、説明される諸態様は、すべてのそのような態様およびその同等物を含むことが意図されている。
【図面の簡単な説明】
【００２７】
【図１】開示される態様による無線参照信号のノイズリダクションを提供するサンプルのシステムを示すブロック図。
【図２】他の態様による無線リソースに専用無線参照信号をマッピングする例のシステムを示すブロック図。
【図３】多重アンテナ通信で参照信号リソースマッピングを提供するサンプルのシステムを示すブロック図。
【図４】無線通信でコーディングされた参照信号を送信し、受信するサンプルのシステムを示すブロック図。
【図５】専用無線参照信号の雑音を軽減するように構成された基地局を備える例のシステムを示すブロック図。
【図６】いくつかの態様によるセル固有参照信号を復号するように構成されたＵＥを備えるサンプルのシステムを示すブロック図。
【図７】いくつかの態様による無線参照信号の雑音軽減の例の方法論を示す流れ図。
【図８】１つまたは複数の態様による無線チャネルリソースに参照信号をマッピングするサンプルの方法論を示す流れ図。
【図９】追加の態様による専用参照信号を復号するサンプルの方法論を示す流れ図。
【図１０】共通参照信号および専用参照信号の出力不等を提供する例の方法論を示す流れ図。
【図１１】無線参照信号を符号化する例のシステムを示すブロック図。
【図１２】無線参照信号を復号する例のシステムを示すブロック図。
【図１３】共通参照信号エレメントおよび専用参照信号エレメントの異なる伝送出力を生成するサンプルのシステムを示すブロック図。
【図１４】本明細書で開示される態様による例の無線通信装置を示すブロック図。
【図１５】無線デバイスの間での無線通信のためのサンプルのセルラ環境を示すブロック図。
【図１６】無線通信のための例の無線シグナリング環境を示すブロック図。
【発明を実施するための形態】
【００２８】
これから、さまざまな態様を図面を参照して説明するが、図面では、同様の符号が、終始、同様の要素を参照するのに使用される。次の説明では、説明において、１つまたは複数の態様の完全な理解を提供するために、多数の特定の詳細を示す。しかし、そのような態様（１つまたは複数）を、これらの特定の詳細なしで実践できることは明白であろう。他の場合には、１つまたは複数の態様の説明を容易にするために、周知の構造およびデバイスを、ブロック図の形で示す。
【００２９】
さらに、本開示のさまざまな態様を、下で説明する。本明細書の教示を、さまざまな形で実施でき、本明細書で開示される任意の特定の構造および／または機能が、単に代表的であることは、明白である。本明細書の教示に基づいて、当業者は、本明細書で開示される態様を、任意の他の態様と独立に実施でき、これらの態様のうちの複数をさまざまな形で組み合わせることができることを了解するに違いない。たとえば、本明細書で示される態様のうちの任意の個数を使用して、装置を実施し、かつ／または方法を実践することができる。さらに、本明細書で示される態様のうちの１つまたは複数に加えてまたはそれ以外の他の構造および／または機能性を使用して、装置を実施し、かつ／または方法を実践することができる。例として、本明細書で説明される方法、デバイス、システム、および装置のうちの多数は、無線通信環境での参照信号のためのセル固有信号コーディングの提供という文脈で説明される。当業者は、類似する技法が、他の通信環境にあてはまり得ることを了解するに違いない。
【００３０】
無線通信システムは、さまざまなシグナリング機構を使用することによって、無線ノードの間での情報交換を実施する。１つの実例で、基地局を、とりわけ、タイミング系列を確立し、信号ソースおよびそのソースに関連する網を識別するパイロット信号を伝送するのに使用することができる。ユーザ端末（ＵＴ）またはユーザ機器（ＵＥ）などの遠隔無線ノードは、基地局との基本通信を確立するのに必要な情報を得るためにパイロット信号を復号することができる。１つの特定の例として、ＵＥは、基地局が存在する無線通信セルの識別子を入手するためにパイロット信号を復号することができる（たとえば、無線網展開に従って）。
【００３１】
そのようなシステムでの１つの重要な問題は、近くの無線ノードの無線伝送の間の干渉または無線雑音である。干渉は、受信品質を下げ、スループットを遅らせ、あるいは、極端なときに通信を非効率的にする。したがって、計画的基地局展開は、干渉を軽減するのに適切な距離に無線ノードを配置できるという点で、理想的である。しかし、計画的網においてさえ、ダウンリンク干渉は、たとえば、トラヒック負荷が大きくなるとき、端末がサービスエリアの縁にあるとき、または類似物で生じる可能性がある。さらに、多重アンテナ通信システム（たとえば、ＭＩＭＯ［multiple-in-multiple-out］システム）では、別個のアンテナによる複数の信号エレメントの同時伝送によって、干渉問題が悪化し得る。
【００３２】
オーバーラップする伝送および結果の信号干渉を軽減するために、無線通信は、通常、信号を他の信号から区別できるようにするために、時間、周波数、またはさまざまな符号リソースもしくは記号リソースにおいて構造化される。たとえば、異なる時刻での伝送は、直交周波数での伝送と同様に、区別を可能にする。さらに、直交符号または直交記号の使用も、時間的に共通の点で伝送される信号に関してさえ、軽減された干渉を生じることができる。そのような形で、複数のノードが所与の無線環境で動作することを可能にするために、無線リソースをセグメント化することができる。
【００３３】
参照信号について、低い信号干渉は、そのような信号が網によって提供される他の無線サービスに関係するデータを復号するのに必要な情報を伝えるので、重要である。たとえば、参照信号は、シグナリングデータ、マルチメディアデータなどを復号する際に使用される復調系列を備えることができる。したがって、参照信号の信頼できる受信は、無線通信システムの望まれる態様である。
【００３４】
参照信号に関する雑音および干渉を軽減するために、無線網は、クロスシグナルノイズ（cross-signal noise）をランダム化するためにコーディング系列を使用する。コーディング系列は、複数のアンテナの同時無線伝送の間の干渉を軽減するために、無線チャネルの別個のタイムスロットまたは無線チャネルの直交周波数に参照信号記号をマッピングすることができる。参照信号のスケーラブルコーディングを提供するために、本開示は、無線網の伝送するセル（またはセクタ）のセルＩＤ（または、たとえばセクタＩＤ）に基づく参照信号コーディングに関する。セルＩＤは、さまざまなセルの参照信号の間で雑音をランダム化する組織的機構を提供する。さらに、セルＩＤは、通常、パイロット信号または同期信号内で伝えられるので、端末は、通常、信号復号の目的でセルＩＤに迅速にアクセスすることができる。
【００３５】
本開示は、主に、２つのタイプの参照信号すなわち、共通参照信号および専用参照信号に関係する。この書かれた説明および添付の特許請求の範囲で利用されるときに、共通参照信号は、無線網のセル内の無線端末による包括的使用のために伝送される信号である。共通参照信号を、セル固有参照信号と称することもできる。その一方で、専用参照信号は、セル内の特定の使用のために伝送される信号である。例は、特定の無線サービスまたはコンテンツ（たとえば、ＭＢＳＦＮ［multicast/broadcast single frequency network］サービス）のための使用または特定のＵＥもしくはＵＥのセットにサービスするための使用を含むことができる。特定のＵＥまたはＵＥのセットのための専用参照信号を、本明細書および添付の特許請求の範囲で、ＵＥ固有参照信号とも称する。ＭＢＳＦＮサービスの専用参照信号を、この説明および特許請求の範囲で、セル固有ＭＢＳＦＮ参照信号とも称する。
【００３６】
共通参照信号または専用参照信号のリソースマッピングは、参照信号（１つまたは複数）がその中で伝送されるセルのＩＤに少なくとも部分的に依存する。例示的な例として、リソースマッピングは、セルＩＤの関数として、周波数帯内もしくはタイムスロット内の参照信号記号、符号分割多元接続（ＣＤＭＡ）符号のセット、直交周波数分割多重（ＯＦＤＭ）記号のセット、または類似物の位置を指定することができる。さらに、特定のセル内で、共通参照信号、ＵＥ固有参照信号、またはＭＢＳＦＮ参照信号などの異なる参照信号のマッピングは、同様のマッピングまたは別個のマッピングを有することができる。言い換えると、セルＩＤの共通の関数を、参照信号記号をチャネルリソースにマッピングするのに利用することができ、あるいは、セルＩＤの別個の関数を、異なる参照信号をマッピングするのに利用することができる。
【００３７】
セル固有参照信号を、通常、非ＭＢＳＦＮ伝送をサポートするセル内でほとんどまたはすべてのダウンリンクサブフレーム内で伝送することができる。ＭＢＳＦＮサービスを伝送するサブフレームについて、そのサブフレームに含まれる直交周波数分割多重記号のサブセットを、セル固有参照記号の伝送に使用することができる。たとえば、セル固有参照信号を、ＭＢＳＦＮサブフレームの最初の２つの直交周波数分割多重記号に制限することができる。しかし、本開示および添付の特許請求の範囲は、それには限定されない。さらに、セル固有参照信号を、無線基地局に結合された１つまたは複数のアンテナポート上で伝送することができる。たとえば、二重ポートシステムのアンテナポートの一方または両方を、セル固有参照信号に使用することができ、四重ポートシステムの１つ、２つ、または４つのポートを、そのような信号に使用することができるなどである。下の埋め込まれたダイアグラム１は、周波数分割複信（ＦＤＤ）３ＧＰＰ（third generation partnership project）ＬＴＥ（long term evolution）システムの無線チャネルリソースの１つの例の配置を示すが、本開示および添付の特許請求の範囲が、この特定の例に限定されないことを了解されたい。
【表１】
2011519509.tif 000003
【数１】
2011519509.tif 000004
【００３８】
連続する直交周波数分割多重記号および連続する周波数副搬送波のさまざまな個数を、物理リソースブロックのために使用することができる。たとえば、通常のサイクリックプレフィックス（cyclic prefix）およびΔｆ＝１５キロヘルツ（ｋＨｚ）を有するＬＴＥシステムでは、リソースブロックあたりの直交周波数分割多重記号の個数を、７とすることができ、リソースブロックあたりの周波数副搬送波の個数を、１２とすることができる。ＬＴＥリソースブロック構成の追加の例については、たとえば、参照によってその全体が特に組み込まれている３ＧＰＰ  ＴＳ  ３６．２１１  ｖｅｒｓｉｏｎ  ８５０のセクション６．２．３を参照されたい。
【００３９】
参照信号系列を、ＬＴＥシステム、広帯域符号分割多元接続（Ｗ−ＣＤＭＡ）システム、または他の無線通信システムで使用される系列アルゴリズムを含む、さまざまな適切な系列生成アルゴリズムに従って生成することができる。いくつかのシステムでは、２次元参照信号系列ｒｍ，ｎ（ｎｓ）（ｎｓはラジオフレーム内のスロット番号）の生成は、系列について利用されるサイクリックプレフィックスに依存するものとすることができる。
【数２】
2011519509.tif 000005
【００４０】
その場合に、ＮＯＳ＝３個の異なる２次元直交系列およびＮＰＲＳ＝１６８個の異なる２次元擬似ランダム系列がある。上で説明した系列について、物理層セルアイデンティティグループ内の３つのアイデンティティと３つの２次元直交系列との間で１対１マッピングを提供することができる。
【数３】
2011519509.tif 000006
【数４】
2011519509.tif 000007
【数５】
2011519509.tif 000008
【００４１】
この場合に、物理層セルアイデンティティとＮＰＲＳ＝５０４個の異なる２次元擬似ランダム系列との間で１対１マッピングを提供することができる。本開示のいくつかの態様では、異なる系列を、異なるタイプの参照信号を生成するために使用することができる。１つの例示的な例として、セル固有参照信号を、第１のシーケンシングアルゴリズムを用いて生成することができ、セル固有ＭＢＳＦＮ参照信号を、第２のシーケンシングアルゴリズムを用いて生成することができ、ＵＥ固有参照信号を、第３のシーケンシングアルゴリズムを用いて生成することができ、あるいはこれらの何らかの適切な組合せ。
【００４２】
参照信号は、複数の信号の同時伝送に関する雑音ランダム化を提供するためにコーディングされる。コーディングは、無線チャネルのリソースに参照系列記号（たとえば、上のアルゴリズムのうちの１つまたは複数によって生成される）を割り当てるのに利用されるマッピング関数の適用を備えることができる。本開示の少なくともいくつかの態様では、マッピング関数を、参照信号を伝送するセルのセルＩＤに少なくとも部分的に基づくものとすることができる。他の態様によれば、共通参照信号または専用参照信号のうちの少なくとも１つが、セル固有マッピング関数を用いて生成される。
【数６】
2011519509.tif 000009
【数７】
2011519509.tif 000010
【００４３】
周波数のシフトｖｓｈｉｆｔは、物理層セルＩＤから導出される。したがって、上の例では、マッピング関数は、物理層セルＩＤに少なくとも部分的に基づいて、参照信号記号を周波数副搬送波に割り当てる。リソース割当てとセルＩＤとの間のさまざまな適切な関係を、チャネルリソースへの参照信号記号のマッピングに使用することができる。たとえば、ｖｓｈｉｆｔを、ｎ個のアンテナポートを有するシステム内でセルＩＤ番号｛０，１，…，ｎ｝に直接に関連付けることができる。
【数８】
2011519509.tif 000011
【００４４】
さらに、適切なマッピング関数は、参照信号記号を、セルＩＤの関数として、周波数に加えてまたはその代わりに時間リソース、記号リソース、または無線チャネルの符号リソースに割り当てることができる。さらに、前述のマッピング関数は、例示のための１つの例にすぎず、本開示および添付の特許請求の範囲は、それに限定はされない。
【００４５】
ここで図を参照すると、図１は、本開示の諸態様による無線通信を容易にする例のシステム１００のブロック図を示す。システム１００は、たとえば、１つまたは複数の送信機１１６による伝送のために１つまたは複数の参照信号を生成することができる。参照信号（１つまたは複数）は、共通参照信号（たとえば、セル固有参照信号）または専用参照信号（たとえば、セル固有ＭＢＳＦＮ参照信号、ＵＥ固有参照信号）、あるいはその適切な組合せを備えることができる。複数の送信機（１１６）による同時伝送によって引き起こされる雑音を減らすために、参照信号をシステム１００によってスクランブルするかコーディングすることができる。さらに、本開示の少なくともいくつかの態様によれば、スクランブルされ／コーディングされた系列を、送信機１１６のセルＩＤに少なくとも部分的に基づいて無線チャネルのリソースにマッピングすることができる。
【００４６】
具体的に言うと、システム１００は、送信機１１６用の参照信号を生成し、生成された参照信号を送信機１１６によって使用されるダウンリンクリソースにマッピングすることができる信号マッピング装置１０２を備えることができる。参照信号は、セル固有参照信号、セル固有ＭＢＳＦＮ参照信号、またはＵＥ固有参照信号を備えることができる。参照信号は、変調されたアウトプット流れ１１２として信号マッピング装置１０２からアウトプットされる。
【００４７】
信号マッピング装置１０２は、信号生成およびリソースマッピングのために構成されたモジュールのセット（１０６、１０８）を実行するデータプロセッサ１０４を備えることができる。たとえば、計算モジュール１０６を、参照信号用の系列を生成するためにデータプロセッサ１０４によって実行することができる。系列は、共通参照信号または専用参照信号に関するものとすることができる。その代わりに、系列を、共通参照信号と専用参照信号との両方に使用することができ、あるいは、複数の別個の系列を、それぞれ共通参照信号および専用参照信号のために生成することができる。
【００４８】
計算モジュール１０６は、参照記号の流れを備える生成された信号をマッピングモジュール１０８にアウトプットすることができる。マッピングモジュール１０８は、参照記号を特定のダウンリンク無線チャネルリソースに割り当てるために、送信機１１６に関連するセルＩＤ  １１２を使用する。特定の記号のためのチャネルリソースの選択が、セルＩＤに少なくとも部分的に基づくことを了解されたい。さらに、割当ては、マッピングされる信号に関する雑音をランダム化するために、直交周波数副搬送波、異なる時間サブフレーム、タイムスロット、符号分割多元接続符号、または直交周波数分割多重記号を選択することを備えることができる。具体的に言うと、割当ては、セルＩＤ  １１２に基づいて、直交周波数、符号リソース、記号リソース、または異なるタイムスロットを指定する、セルＩＤの関数を使用することができる。したがって、雑音または送信機１１６の参照信号とセルＩＤ  １１２とは異なるセルＩＤを有する他の送信機（図示せず）によって伝送される参照信号との間の干渉を減らすことができる。
【００４９】
本開示のいくつかの態様では、送信機１１６のアンテナポートのセットのための参照信号系列のセットを生成するように、計算モジュール１０６を構成することができる。参照信号のセットを、さらに、マッピングモジュール１０８によって無線チャネルの異なるサブフレームに割り当てることができる。本開示の少なくとも１つの態様では、共通参照信号および専用参照信号を、無線チャネルの異なるサブフレームに割り当てることができる。具体的に言うと、共通参照信号を、送信機１１６のアンテナポートの第１サブセットに割り当てられたサブフレームの１つのサブセットに割り当てることができ、専用参照信号を、アンテナポートの第２サブセットに割り当てられたサブフレームの別のサブセットに割り当てることができる。他の態様では、共通参照信号および専用参照信号を、同一のアンテナポートサブフレームに割り当てることができる。後者の場合に、共通参照信号および専用参照信号を、オプションで、アンテナポートサブフレーム（１つまたは複数）の異なる記号に割り当てることができる。たとえば、共通参照信号を、専用参照信号を備えるサブフレームの最初の２つの直交周波数分割多重記号に割り当てることができ、この専用参照信号は、最初の２つ以外の直交周波数分割多重記号に割り当てられる。しかし、本開示および添付の特許請求の範囲が、前述の例の態様に限定されないことを了解されたい。
【００５０】
マッピングモジュール１０８によって使用されるセルＩＤ  １１２を、信号マッピング装置１０２のメモリ１１０に格納することができる。さらに、計算モジュール１０６によって生成された参照信号またはそのような参照信号と無線チャネルリソースとの間のマッピングをメモリ１１０に格納することもできる。参照信号がチャネルリソースにマッピングされたならば、結果の変調されたアウトプット流れ１１４は、送信機１１６によってサービスされる１つまたは複数の端末（図示せず）へのダウンリンク伝送のために送信機１１６に供給される。具体的に言うと、共通参照信号を、送信機１１６によって無線ブロードキャストチャネル上でブロードキャストすることができる。さらに、専用参照信号を、専用チャネル上でブロードキャストすることができ（たとえば、ＭＢＳＦＮ参照信号をＭＢＳＦＮチャネル上でブロードキャストすることができ）、ＵＥ固有参照信号を、ＵＥまたはＵＥのセットに割り当てられた固有チャネル上でユニキャストすることができる。
【００５１】
上で説明したように、システム１００は、無線通信における雑音を減らすことができる。通常、送信機１１６は、送信機１１６によってサービスされるセル内の端末によって分析されるパイロットチャネルまたは同期チャネル上でセルＩＤ  １１２をブロードキャストする。したがって、セルＩＤ  １１２は、これらの端末がすぐに入手可能である。さらに、参照信号を無線チャネルにマッピングする際にセルＩＤ  １１２を使用することによって、端末がセルＩＤ  １１２に基づいて参照信号を復号するための組織的機構が提供される。
【００５２】
図２に、無線環境で無線通信チャネルに参照信号をマッピングするサンプルのシステム２００のブロック図を示す。システム２００を、たとえば図１の信号マッピング装置１０２の一部として含めることができる。したがって、システム２００を、本明細書で説明するように、同時の参照信号伝送に関するノイズリダクションのために使用することができる。
【００５３】
システム２００は、共通参照信号または専用参照信号の記号を生成する計算モジュール２０２を備えることができる。結果の信号は、マッピングモジュール２０４に供給される。さらに、それぞれの信号のタイプ（たとえば、セル固有、セル固有ＭＢＳＦＮ、ＵＥ固有）を、割当てモジュール２０６またはリソースモジュール２０８あるいはその両方に供給することができる。
【００５４】
割当てモジュール２０６は、リソースブロック上で伝送される信号のタイプに依存して、無線チャネルのリソースブロックを選択するように構成される。本開示のいくつかの態様によれば、選択は、特定の参照信号に割り当てられたアンテナポートにも依存することができる。したがって、たとえば、共通参照信号が、４ポートシステムのポート０またはポート１で伝送される場合に、割当てモジュール２０６は、共通参照信号用にポート０または１に関連するリソースブロックを、および専用参照信号用にポート２または３に関連するリソースブロックを選択することができる。その代わりに、リソースブロックの選択を、アンテナポートから独立にし、その代わりに信号タイプに基づくものにすることができる。
【００５５】
システム２００は、さらに、特定の参照信号を伝送するセルＩＤ  ２１０の関数を選択するように構成されたリソースモジュール２０８を備えることができる。いくつかの態様では、リソースモジュール２０８は、異なるタイプの参照信号のためにセルＩＤ  ２１０の異なる関数を選択することができる。
【数９】
2011519509.tif 000012
【００５６】
本開示の他の態様では、リソースモジュール２０８は、参照信号のタイプとは独立に、そのような参照信号の記号をチャネルリソースに割り当てる、セルＩＤ  ２１０の関数を選択することができる。リソースモジュール２０８によって選択されたマッピング関数は、マッピングモジュール２０４に供給される。
【００５７】
マッピングモジュール２０４は、参照信号記号をダウンリンクチャネルリソースに割り当てる際に、割当てモジュール２０６によって供給されたリソースブロックおよびリソースモジュール２０８によって指定されたマッピング関数を使用する。したがって、リソース割当ては、上で述べた割当てモジュール２０６およびリソースモジュール２０８の構成に依存して、マッピングされる参照信号または信号を伝送するアンテナポートのタイプに依存することができる。さらに、割当ては、セルＩＤ  ２１０に依存することができる。マッピングモジュール２０４は、送信機（図示されていないが、上の図１の送信機１１６を参照されたい）によって伝送されるマッピングされた／変調された参照系列をアウトプットする。システム２００は、伝送されるダウンリンク時間フレームごとに、またはダウンリンク伝送に関して要求されるとおりに他の形で、マッピングされ／変調された参照系列をアウトプットすることができる。いくつかの態様では、システム２００は、冗長な信号処理を緩和するために、マッピングされた／変調された参照系列が生成されたならば、これらをメモリ（図示せず）に格納することができる。
【００５８】
図３に、本開示のさらなる態様による、多重アンテナ通信でセル固有参照信号を提供する例のシステム３００のブロック図を示す。システム３００は、本明細書で説明する参照信号系列を生成する信号マッピング装置３０２を備えることができる。そのような系列は、共通参照信号または専用参照信号の記号系列を含むことができる。具体的に言うと、参照信号は、多重アンテナ配置３０８の複数のアンテナによる同時伝送のために生成される。
【００５９】
信号マッピング装置３０２は、多重アンテナ通信用の参照系列を分配モジュール３０４にアウトプットすることができる。分配モジュール３０４は、参照系列のコピーを生成するように構成することができる。多重アンテナ通信に参加する多重アンテナ配置のアンテナ３０８Ａ、３０８Ｂ、３０８Ｃ、３０８Ｄ、３０８Ｅ（３０８Ａ〜３０８Ｅ）あたり少なくとも１つのコピーが、分配モジュール３０４によって生成される。その後、参照系列のコピーは、多重アンテナ通信の成分を伝送するために割り当てられたそれぞれのアンテナ（３０８Ａ〜３０８Ｅ）に送られる。
【００６０】
さらに、分配モジュール３０４は、参照系列コピーと共に仮想セルＩＤ  ３０６をそれぞれのアンテナ（３０８Ａ〜３０８Ｅ）にサブミットすることができる。仮想セルＩＤ  ３０６は、配置３０８のそれぞれのアンテナ３０８Ａ〜３０８Ｅに関連する物理層セルＩＤに関わりなく、多重アンテナ配置３０８に割り当てられる別個のＩＤである。したがって、たとえば、送信機３０８Ａは、配置３０８の他のアンテナ３０８Ｂ〜３０８Ｅとは別個のセルＩＤを有すると共に、仮想セルＩＤ  ３０６に関連することができる。したがって、仮想セルＩＤ  ３０６は、個々のアンテナ３０８Ａ〜３０８Ｅではなく、アンテナの配置３０８を識別する。
【００６１】
本開示の少なくとも１つの態様では、多重アンテナ配置３０８のサブセットを、配置３０８のすべてのアンテナに割り当てられた仮想セルＩＤ  ３０６とは別個の、それぞれのアンテナ３０８Ａ〜３０８Ｅのそれぞれの物理層セルＩＤとも別個の、別々の仮想セルＩＤ（３０６）に関連付けることができる。したがって、例として、送信機３０８Ａおよび送信機３０８Ｂを備えるアンテナのサブセットが、このアンテナサブセット３０８Ａ、３０８Ｂを配置３０８の他の適切なアンテナサブセットから区別し、サブセット３０８Ａ、３０８Ｂを配置３０８全体から区別し、また、サブセット３０８Ａ、３０８Ｂをこのサブセットを構成するそれぞれのアンテナ３０８Ａおよび３０８Ｂから区別する、仮想セルＩＤ（３０６）を有することができる。したがって、アンテナ３０８Ａ〜３０８Ｅのセットの異なるサブセットを、個々のアンテナ（３０８Ａ〜３０８Ｅ）を識別する物理層セルＩＤに加えて、１つまたは複数のサブセット仮想セルＩＤならびに配置３０８を識別する仮想セルＩＤ  ３０６に関連付けることができる。
【００６２】
多重アンテナ配置３０８は、ＭＩＳＯ通信、ＳＩＭＯ通信、またはＭＩＭＯ通信、あるいは類似物を含むさまざまなタイプの多重アンテナ通信に使用されるアンテナを備えることができる。参照信号のコピーおよび仮想セルＩＤ  ３０６（または、たとえば、適切なサブセット仮想セルＩＤ）を受信したときに、アンテナ３０８Ａ〜３０８Ｅは、その参照信号コピーを無線チャネルのリソースにマッピングすることができる。本明細書で説明するように、マッピングは、多重アンテナ通信信号の成分信号を伝送する多重アンテナ配置３０８の各アンテナが同一の参照信号−リソースマッピングを有するように、仮想セルＩＤ  ３０６に依存するものとすることができる。したがって、成分信号を受信する端末は、共通のリソースマッピングに基づいて、そのような成分を共通多重アンテナ通信の一部として識別することができる。そのような形で、セルＩＤベースのリソースマッピングによって提供されるランダム化および復号の利益を、多重アンテナ通信に関連して使用することができる。
【００６３】
図４に、無線アクセスポイント４０２と無線ＵＥ  ４０４との間の無線通信を提供する例のシステム４００のブロック図を示す。無線アクセスポイント４０２は、参照信号を生成し、参照信号記号を無線アクセスポイント４０２に関連するセルＩＤの関数としてダウンリンク無線チャネルのリソースに割り当てるのに信号マッピング装置４０６を使用することができる。信号マッピング装置４０６を、上で図１で述べた信号マッピング装置１０２に実質的に類似するものとすることができることを了解されたい。次に、参照信号を、無線アクセスポイント４０２によって、割り当てられたチャネルリソース上で無線で伝送することができる。いくつかの態様では、チャネルリソースは、ブロードキャストチャネルリソース（たとえば、セル固有参照信号用）、ＭＢＳＦＮブロードキャストリソース（たとえば、セル固有ＭＢＳＦＮ参照信号用）、またはユニキャストチャネルリソース（たとえば、ＵＥ固有参照信号用）を備えることができる。
【００６４】
ＵＥ  ４０４は、無線アクセスポイント４０２によって伝送された信号を受信し、それに含まれる参照信号記号を抽出するためにその信号を復号することができる。具体的に言うと、ＵＥ  ４０４は、ＵＥ  ４０４の受信アンテナによって入手された無線信号を分析し、復号するために、信号復号装置４０８を使用することができる。信号復号装置４０８は、受信された信号内の復号された記号を分析する解析モジュール４１０を備えることができる。さらに、解析モジュール４１０を、１つまたは複数の専用参照信号に関係する復号された記号内の命令を識別するように構成することができる。たとえば、命令は、ＵＥ  ４０４を伴う通信に関係する参照信号が受信された信号に含まれるかどうかを指定することができる。さらに、命令は、そのような参照信号がそこに含まれるリソースブロックならびに参照信号を復号するための命令を指定することができる。本開示の少なくともいくつかの態様では、命令を、上位層メッセージング（たとえば、レイヤ２メッセージングまたはレイヤ３メッセージング）に含めることができる。さらに他の態様によれば、解析モジュール４１０は、セル固有参照信号などの共通参照信号またはセル固有ＭＢＳＦＮ参照信号もしくはＵＥ固有参照信号などの専用参照信号として参照信号を識別するのに命令を使用することができる。復号命令およびオプションで信号タイプが、分析モジュール４１２に供給される。
【００６５】
上記に加えて、分析モジュール４１２を、解析モジュール４１０によって識別された参照信号を復号するように構成することができる。いくつかの態様では、分析モジュール４１２は、復号のために無線アクセスポイント４０２に関連するセルＩＤ（たとえば、アクセスポイント４０２によって伝送されたパイロット信号または同期信号から入手されるか、解析モジュール４１０によって識別された命令に含まれる）の関数を使用することができる。復号されたならば、参照信号を、無線アクセスポイント４０２によって伝送された信号に含まれるトラヒックまたは他のメッセージングを復号する際に使用することができる。
【００６６】
図５に、本開示の態様による例のシステム５００のブロック図を示す。具体的に言うと、システム５００は、基地局５０２に関連するセルＩＤに少なくとも部分的に基づいて無線参照信号を伝送するように構成された基地局５０２を備えることができる。より正確に言うと、基地局５０２は、セルＩＤの関数として参照信号を無線チャネルリソースにマッピングすることができる。セルＩＤの関数は、セルＩＤに依存する形で信号リソースを割り当てることができる。いくつかの態様では、セルＩＤの異なる関数を、異なるタイプの参照信号をマッピングするために基地局５０２によって使用することができる。異なるマッピング関数は、あるタイプの参照信号と別のタイプの参照信号との間の雑音ランダム化をもたらすと同時に、基地局５０２によって伝送される他の信号と比較した参照信号に関する雑音ランダム化をもたらすことができる。
【００６７】
基地局５０２（たとえば、アクセスポイント、…）は、１つまたは複数の受信アンテナ５０６を介して１つまたは複数のＵＥ  ５０４から無線信号を入手する受話器５１０と、変調器５２８によって供給されるコーディングされた／変調された無線信号を送信アンテナ（１つまたは複数）５０８を介して１つまたは複数のＵＥ  ５０４に送信する送信機５３０とを備えることができる。受話器５１０は、受信アンテナ５０６から情報を入手することができ、さらに、ＵＥ（１つまたは複数）５０４によって伝送されたアップリンクデータを受信する信号受信者（図示せず）を備えることができる。さらに、受話器５１０は、受信された情報を復調する復調器５１２に動作可能に関連付けられる。復調された記号は、データプロセッサ５１４によって分析される。データプロセッサ５１４は、基地局５０２によって提供されまたは実施される機能に関係する情報を格納するメモリ５１６に結合される。１つの実例では、格納される情報は、ＵＴ（１つまたは複数）５０４のうちの１つまたは複数によって供給される無線信号を解析するためのルールまたはプロトコルを備えることができる。上記に加えて、データプロセッサ５１４を、基地局５０２に関連するセルＩＤ  ５３６に基づく無線信号の符号化に関係する情報を格納するデータストア５３２に結合することができる。具体的に言うと、データストア５３４は、セルＩＤ  ５３６に基づいて参照信号をダウンリンクチャネルリソースにマッピングする１つまたは複数の関数５３４を備えることができる。
【００６８】
上記に加えて、基地局５０２は、基地局５０２によって伝送される参照信号の記号の系列を生成する計算モジュール５１８を備えることができる。さらに、マッピングモジュール５２０を、参照信号記号を無線チャネルに割り当てるのに使用することができる。マッピングモジュール５２０は、参照信号を伝送するのに利用されるアンテナポートに基づいて、割当てモジュール５２２からリソースブロックを入手することができる。さらに、リソースモジュール５２４は、オプションで、利用される特定のアンテナポートに基づいて、または伝送される参照信号のタイプに基づいて、割当てのために特定の関数５３４を選択することができる。本開示の少なくとも１つの態様では、基地局５０２は、さらに、多重アンテナ伝送用の参照信号のコピーを生成する分配モジュール５２６を備えることができる。その場合に、送信アンテナ（５０８）のセットに関連する仮想セルＩＤを、多重アンテナ伝送のそれぞれの成分に関する共通セルＩＤ依存マッピングを提供するのに使用することができる。したがって、受信するＵＥ  ５０４は、共通セルＩＤ依存マッピングに基づいて、基地局５０２によって伝送された他の無線信号からそれぞれの成分を区別することができる。
【００６９】
図６に、本開示の態様による無線通信のために構成されたＵＥ  ６０２を備える例のシステムのブロック図を示す。ＵＥ  ６０２を、無線網の１つまたは複数の基地局６０４（たとえば、アクセスポイント）に無線で結合されるように構成することができる。そのような構成に基づいて、ＵＥ  ６０２は、順方向リンクチャネルで基地局（５０４）から無線信号を受信し、逆方向リンクチャネルで無線信号を応答することができる。さらに、ＵＥ  ６０２は、本明細書で説明するように、受信された無線信号を分析し、分析された信号から、関係する参照信号を識別する命令を抽出するなどを行うメモリ６１４に格納された命令を備えることができる。
【００７０】
ＵＥ  ６０２は、信号を受信する少なくとも１つのアンテナ６０６（たとえば、入出力インターフェースを備える、無線送信／受信インターフェースまたはそのようなインターフェースのグループ）および受信信号に対して通常のアクションを実行する（たとえば、フィルタリングし、増幅し、ダウンコンバートするなど）受話器（１つまたは複数）６０８を含む。一般に、アンテナ６０６および送信機６２４（集合的にトランシーバと称する）を、基地局（１つまたは複数）６０４との無線データ交換を容易にするように構成することができる。
【００７１】
アンテナ６０６および受話器（１つまたは複数）６０８を、受信された記号を復調し、そのような信号を評価のためにデータプロセッサ（１つまたは複数）６１２に供給できる復調器６１０にも結合することができる。データプロセッサ（１つまたは複数）６１２が、ＵＥ  ６０２の１つまたは複数のコンポーネント（６０６、６０８、６１０、６１４、６１６、６１８、６２０、６２２、６２４）を制御でき、かつ／または参照できることを了解されたい。さらに、データプロセッサ（１つまたは複数）６１２は、ＵＥ  ６０２の機能の実行に関係する情報またはコントロールを備える１つまたは複数のモジュール、アプリケーション、エンジン、または類似物（６１６、６１８、６２０）を実行することができる。たとえば、そのような機能は、本明細書で説明するように、基地局（１つまたは複数）６０４のセルＩＤを入手すること、基地局（１つまたは複数）６０４によって伝送された参照信号の復号にセルＩＤを使用すること、または同様の動作を含むことができる。
【００７２】
さらに、ＵＥ  ６０２のメモリ６１４は、データプロセッサ（１つまたは複数）６１２に動作可能に結合される。メモリ６１４は、伝送されるデータ、受信されるデータ、および類似物、ならびに遠隔デバイス（５０４）との無線通信を行うのに適切な命令を格納することができる。具体的に言うと、命令を、上または本明細書の他所で説明されるさまざまな機能を実施するのに利用することができる。さらに、メモリ６１４は、上のデータプロセッサ（１つまたは複数）６１２によって実行されるモジュール、アプリケーション、エンジンなど（６１６、６１８、６２０）を格納することができる。
【００７３】
さらに、ＵＥ  ６０２は、基地局（１つまたは複数）６０４によって伝送された専用参照信号に関係する受信された無線信号内の命令を識別する解析モジュール６１６を備えることができる。いくつかの態様では、命令は、非物理層プロトコルなど、基地局（１つまたは複数）６０４によって使用される上位層シグナリングプロトコルで指定される。この命令に基づいて、解析モジュール６１６は、受信された無線信号内で参照信号を突き止めることができ、さらに、その信号がＭＢＳＦＮ信号またはＵＥ固有信号であるかどうかを判定することができる。
【００７４】
ＵＥ  ６０２は、基地局（１つまたは複数）６０４のＩＤの関数として専用参照信号を復号するのに分析モジュール６１８を使用することができる。いくつかの態様では、選択モジュール６２０は、ＵＥ固有参照信号を復号するための基地局ＩＤの第１関数を分析モジュール６１８に与えることができる。さらに、選択モジュール６２０は、そのような態様では、ＭＢＳＦＮ参照信号を復号するための基地局ＩＤの第２関数を分析モジュール６１８に与えることができる。少なくとも１つの態様では、基地局ＩＤの第１関数および第２関数は、基地局ＩＤに基づく共通のリソースシフトを使用することができる。別の態様では、第１関数および第２関数は、信号を復号するために基地局ＩＤに基づく異なるリソースシフトを使用することができる。
【００７５】
特定の態様によれば、ＵＥ  ６０２は、受信した無線信号内に含まれるセル固有参照信号を復号するのに分析モジュール６１８を使用することもできる。そのような態様では、選択モジュールは、セル固有参照信号を復号するための、基地局ＩＤに依存する復号関数を提供することができる。そのような復号関数は、基地局ＩＤの第１関数または第２関数に類似するものとすることができ、あるいは、この両方の関数とは別個とすることもできる。
【００７６】
前述のシステムは、複数のコンポーネント、モジュール、および／または通信インターフェースの間の相互作用に関して説明された。そのようなシステムおよびコンポーネント／モジュール／インターフェースが、これらのコンポーネントもしくはその中で指定されるサブコンポーネント、指定されたコンポーネントもしくはサブコンポーネントの一部、および／または追加コンポーネントを含むことができることを了解されたい。たとえば、あるシステムは、信号復号装置４０８に結合されたＵＥ  ４０４およびシステム２００を備える信号マッピング装置１０２に結合された無線アクセスポイント４０２、またはこれらもしくは他のコンポーネントの異なる組合せを含むことができる。サブコンポーネントを、親コンポーネント内に含まれるのではなく、他のコンポーネントに通信的に結合されたコンポーネントとして実施することもできる。さらに、１つまたは複数のコンポーネントを、集約機能性を提供する単一のコンポーネントに組み合わせることができることに留意されたい。たとえば、単一のコンポーネントによるリソース信号の生成および無線チャネルのリソースへのリソース信号のマッピングを容易にするために、計算モジュール１０６がマッピングモジュール３０８を含むことができ、逆も可能である。コンポーネントが、本明細書で具体的には説明されないが当業者に既知の１つまたは複数の他のコンポーネントと相互作用することもできる。
【００７７】
さらに、了解されるとおり、上で開示されるシステムのさまざまな部分および下の方法は、人工知能、知識ベース、またはルールベースのコンポーネント、サブコンポーネント、プロセス、手段、方法論、または機構（たとえば、サポートベクトルマシン、ニューラルネットワーク、エキスパートシステム、ベイジアンネットワーク（Bayesian belief network）、ファジイ論理、データフュージョンエンジン、クラシファイヤ…）を含むか、これらからなるものとすることができる。そのようなコンポーネントは、なかんずく、本明細書で既に説明したものに加えて、システムおよび方法の諸部分をより適応的ならびに効率的かつインテリジェントにするために、これによって実行されるある種の機構またはプロセスを自動化することができる。
【００７８】
上で説明した例示的システムを考慮して、開示される主題に従って実施できる方法論は、図７〜１０の流れ図を参照してよりよく了解されるであろう。説明を単純にするために、方法論を一連のブロックとして図示し、説明するが、いくつかのブロックが図示され本明細書で説明されるものとは異なる順序でおよび／または他のブロックと同時に発生し得るので、請求される主題が、ブロックの順序によって限定されないことを理解し、了解されたい。さらに、図示されたすべてのブロックが、下で説明される方法論の実施に必要とは限らない可能性がある。さらに、下でおよび本明細書全体で開示される方法論は、そのような方法論をコンピュータに移動し転送するのを容易にするために製造品に格納され得ることを、さらに了解されたい。用語製造品は、使用されるときに、任意のコンピュータ可読デバイス、担体に関連するデバイス、または記憶媒体からアクセス可能なコンピュータプログラムを含むことが意図されている。
【００７９】
図７に、本開示の諸態様によるセル固有信号マッピングの例の方法論７００の流れ図を示す。７０２では、方法７００は、専用参照信号の系列を生成するのにデータプロセッサを使用することができる。系列は、たとえば、２次元シーケンシングアルゴリズムまたは２次元行列から生成された２次元系列を備えることができる。さらに、系列を、そのようなアルゴリズムの通常のサイクリックプレフィックスまたは本明細書で説明されるか当技術分野で既知の拡張されシフトされたプレフィックスに基づくものとすることができる。さらに、系列を、セル固有ＭＢＳＦＮ専用参照信号またはＵＥ固有専用参照信号のために生成することができる。本開示の一態様では、共通のシーケンシングアルゴリズムを、ＭＢＳＦＮ信号およびＵＥ固有信号に使用することができる。別の態様では、別々のシーケンシングアルゴリズムを、それぞれＭＢＳＦＮ信号およびＵＥ固有信号の生成に使用することができる。
【００８０】
７０４では、方法７００は、生成された系列の記号を無線チャネルのリソースにマッピングするのにデータプロセッサを使用することができる。さらに、マッピングを、セルＩＤに基づくものとすることができる。たとえば、マッピングは、周波数副搬送波内の記号トーン、信号サブフレーム、符号分割多元接続符号のセット、または無線信号の直交周波数分割多重記号のセットを突き止めるのに、セルＩＤを使用することができる。少なくとも１つの態様では、セルＩＤを、周波数、時間、または他のチャネルリソース内でリソースマッピングをシフトするのに使用することができる。したがって、信号ランダム化を、セルＩＤに基づいて、マッピングされた参照信号について提供することができる。マッピングされた系列を受信する端末は、やはりセルＩＤに基づく適切な復号関数を使用することによって記号を復号することができる。次に、端末は、制御チャネルデータ、パイロットデータもしくは同期データ、トラヒックデータ、マルチメディアデータ、ブロードキャストデータ、ユニキャストデータ、その他などの無線信号内の他のデータを復号するために参照信号を利用することができる。
【００８１】
図８に、無線信号のリソースに参照信号をマッピングするサンプルの方法論８００の流れ図を示す。８０２では、方法８００は、符号化のために参照信号記号の流れを入手することができる。８０４では、方法８００は、流れから、生成すべき参照信号のタイプを判定することができる。例は、共通参照信号または専用参照信号を含むことができる。８０６では、方法８００は、参照信号のタイプに適切なコーディング関数を識別することができる。８０８では、参照信号が単一アンテナ通信用または多重アンテナ通信用のいずれであるかに関する判定を行う。単一アンテナ通信の場合には、方法８００は８１０に進むことができ、そうではない場合には、方法８００は８１６に進むことができる。
【００８２】
８１０では、方法８００は、参照信号を伝送するセルのセルＩＤを入手することができる。８１２では、方法８００は、セルＩＤおよび識別されたコーディング関数に少なくとも部分的に基づいて、参照信号記号の流れを無線チャネルのリソースにマッピングすることができる。８１４では、方法８００は、符号８１２で判定された無線チャネルのリソース上で単一アンテナ参照信号を伝送することができる。
【００８３】
８１６では、方法８００は、多重アンテナ通信の異なるアンテナへの分配のために参照信号記号の流れのコピーを生成することができる。８１８では、方法８００は、多重アンテナ通信に用いられるアンテナのセットを表す仮想セルＩＤを入手することができる。８２０では、方法８００は、仮想セルＩＤの関数に少なくとも部分的に基づいて、それぞれの参照信号記号を無線チャネルのリソースにマッピングすることができる。８２２では、方法８００は、信号の伝送を容易にするために、マッピングされた参照信号を多重アンテナ通信のそれぞれのアンテナに分配することができる。
【００８４】
図９に、本開示の諸態様による例の方法論９００の流れ図を示す。９０２では、方法９００は、受信された無線信号の無線記号を分析するのにデータプロセッサを使用することができる。９０４では、方法９００は、受信された無線信号内に含まれる参照信号命令を識別するのにデータプロセッサを使用することができる。本開示の一態様では、参照信号命令を、第２レイヤまたは第３レイヤのシグナリングプロトコルメッセージとすることができる。９０６では、方法９００は、オプションで、命令によって識別される参照信号のタイプを識別することができる。このタイプは、共通参照信号または専用参照信号を含むことができる。さらに、９０８では、方法９００は、伝送するセルＩＤに基づいて参照信号を復号するのにデータプロセッサを使用することができる。参照信号の復号は、符号９０４で識別された命令に従うものとすることができる。さらに、９１０では、方法９００は、オプションで、受信された無線信号内に含まれる共通参照信号を復号することができる。共通参照信号の復号は、伝送するセルＩＤの第２関数として実施することができる。具体的に言うと、第２関数は、参照信号を復号するために利用されるリソースシフトに類似するかこれとは別個の、共通参照信号用のリソースシフトを指定することができる。
【００８５】
図１０に、本開示の追加の態様による例の方法論１０００の流れ図を示す。１００２では、方法１０００は、共通参照信号リソースエレメントのセットを生成するのにデータプロセッサを使用することができる。さらに、共通参照信号リソースエレメントは、特定の個数の共通リソース記号を備えることができる。１００４では、方法１０００は、専用参照信号リソースエレメントのセットを生成するのにデータプロセッサを使用することができる。さらに、専用参照信号リソースエレメントは、共通リソース記号の特定の個数とは異なる特定の個数の専用リソース記号を備えることができる。１００６では、方法１０００は、オプションで、共通信号エレメントのうちの少なくとも１つを伝送するために割り当てられた出力と比較して異なる、少なくとも１つの専用信号エレメントを伝送するための出力を割り当てることができる。
【００８６】
図１１および１２に、それぞれ、本開示の諸態様による、セルＩＤの関数として専用参照信号をコーディングし、復号する例のシステム１１００、１２００のブロック図を示す。たとえば、システム１１００および１２００は、少なくとも部分的に、無線通信網内および／またはノード、基地局、アクセスポイント、ユーザ端末、移動体インターフェースカードと結合されたパーソナルコンピュータ、もしくは類似物などの送信機内に常駐することができる。システム１１００および１２００が、機能ブロックを含むものとして表され、これらの機能ブロックを、プロセッサ、ソフトウェア、またはその組合せ（たとえば、ファームウェア）によって実施される機能を表す機能ブロックとすることができることを了解されたい。
【００８７】
システム１１００は、専用参照信号の系列を生成するのにデータプロセッサを使用するモジュール１１０２を備えることができる。さらに、システム１１００は、専用参照信号を伝送するセルＩＤの関数に少なくとも部分的に基づいて無線信号のリソースに専用参照信号系列の記号をマッピングするのにデータプロセッサを使用するモジュール１１０４を備えることができる。上記に加えて、システム１１００は、オプションのモジュール１１０６、１１０８、１１１０、および１１１２のセットのうちの１つまたは複数を備えることができる。具体的に言うと、システム１１００は、オプションで、無線信号の他のリソースに共通参照信号の記号をマッピングするモジュール１１０６を備えることができる。システム１１００は、オプションで、セルＩＤの関数として周波数において記号マッピングをシフトするモジュール１１０８を使用することができる。さらに、システム１１００は、オプションで、多重アンテナ配置のそれぞれのアンテナに参照信号（たとえば、共通参照信号または専用参照信号）を分配するモジュール１１１０を備えることができる。システム１１００は、オプションで、仮想セルＩＤの関数によって指定される無線信号の共通リソースに分配された参照信号をマッピングするために多重アンテナ配置の仮想セルＩＤを確立するモジュール１１１２を使用することができる。
【００８８】
システム１２００は、受信された無線信号の記号を分析するのにデータプロセッサを使用するモジュール１２０２を備えることができる。さらに、システム１２００は、無線信号内の参照信号に関係する分析された記号から信号命令を識別するモジュール１２０４を備えることができる。信号命令を、たとえば、分析された記号内の参照信号を突き止め、参照信号を復号するためのセルＩＤの関数を指定するのに使用することができる。上記に加えて、システム１２００は、識別された信号命令に基づいて参照信号記号を復号するのにセルＩＤの関数を使用するモジュール１２０６を備えることができる。本開示のいくつかの態様では、システム１２００は、オプションで、信号命令によって識別された、共通参照信号を復号するためのセルＩＤの関数を使用するモジュール１２０８を備えることができる。その代わりに、システム１２００は、オプションで、共通参照信号を復号するセルＩＤの関数の周波数シフトされた変形を使用するモジュール１２１０を備えることができる。
【００８９】
図１３に、本開示の諸態様による、参照信号記号を生成する例のシステム１３００のブロック図を示す。たとえば、システム１３００は、少なくとも部分的に、無線通信網内および／またはノード、基地局、アクセスポイント、ユーザ端末、移動体インターフェースカードと結合されたパーソナルコンピュータ、もしくは類似物などの送信機内に常駐することができる。システム１３００が、機能ブロックを含むものとして表され、これらの機能ブロックを、プロセッサ、ソフトウェア、またはその組合せ（たとえば、ファームウェア）によって実施される機能を表す機能ブロックとすることができることを了解されたい。
【００９０】
システム１３００は、複数の共通リソース信号エレメントを備える共通参照信号リソースエレメントのセットを生成するのにデータプロセッサを使用するモジュール１３０２を備えることができる。さらに、システム１３００は、複数の専用リソース信号エレメントを備える専用参照信号リソースエレメントのセットを生成するのにデータプロセッサを使用するモジュール１３０４を備えることができる。本開示の少なくともいくつかの態様では、モジュール１３０４は、モジュール１３０２によって生成された共通リソース信号エレメントとは異なる個数の専用リソース信号エレメントを生成する。上記に加えて、システム１３００は、オプションで、少なくとも１つの共通参照信号エレメントを伝送するのに使用されるものとは異なる、少なくとも１つの専用参照信号エレメントを伝送するための伝送出力を使用するモジュール１３０６を備えることができる。
【００９１】
図１４に、本明細書で開示されるいくつかの態様による無線通信を容易にすることができる例のシステム１４００のブロック図を示す。ダウンリンク上のアクセスポイント１４０５で、伝送（ＴＸ）データプロセッサ１４１０は、トラヒックデータを受け取り、フォーマットし、コーディングし、インタリーブし、変調し（または記号マッピングし）、変調記号（「データ記号」）を提供する。記号変調器１４１５は、データ記号およびパイロット記号を受け取り、処理し、記号の流れを提供する。記号変調器１４２０は、データ記号およびパイロット記号を多重化し、これらを送信機ユニット（ＴＭＴＲ）１４２０に供給する。各伝送記号は、データ記号、パイロット記号、または０の信号値とすることができる。パイロット記号を、各記号周期に継続的に伝送することができる。パイロット記号を、周波数分割多重（ＦＤＭ）、直交周波数分割多重（ＯＦＤＭ）、時分割多重（ＴＤＭ）、符号分割多重（ＣＤＭ）、またはその適切な組合せ、あるいは類似する変調技法および／または伝送技法によるものとすることができる。
【００９２】
ＴＭＴＲ  １４２０は、記号の流れを受け取り、１つまたは複数のアナログ信号に変換し、さらに、無線チャネルを介する伝送に適するダウンリンク信号を生成するためにアナログ信号を条件付ける（たとえば、増幅し、フィルタリングし、周波数アップコンバートする）。その後、ダウンリンク信号が、アンテナ１４２５を介して端末に伝送される。端末１４３０では、アンテナ１４３５が、ダウンリンク信号を受信し、受信信号を受話器ユニット（ＲＣＶＲ）１４４０に供給する。受話器ユニット１４４０は、受信信号を条件付け（たとえば、フィルタリングし、増幅し、周波数ダウンコンバートし）、サンプルを入手するために、条件付けされた信号をディジタル化する。記号復調器１４４５は、受信されたパイロット記号を復調し、チャネル推定のためにプロセッサ１４５０に供給する。記号復調器１４４５は、さらに、プロセッサ１４５０からダウンリンクに関する周波数レスポンス推定値を受け取り、データ記号推定値（伝送されたデータ記号の推定値である）を入手するために受信されたデータ記号に対してデータ復調を実行し、データ記号推定値をＲＸデータプロセッサ１４５５に供給し、ＲＸデータプロセッサ１４５５は、伝送されたトラヒックデータを回復するためにデータ記号推定値を復調し（すなわち、記号逆マッピングし）、ディインタリーブし、復号する。記号復調器１４４５およびＲＸデータプロセッサ１４５５による処理は、それぞれ、アクセスポイント１４０５での記号変調器１４１５およびＴＸデータプロセッサ１４１０による処理に対して相補的である。
【００９３】
アップリンクでは、ＴＸデータプロセッサ１４６０が、トラヒックデータを処理し、データ記号を供給する。記号変調器１４６５が、データ記号を受け取り、パイロット記号と多重化し、変調を実行し、記号の流れを供給する。送信機ユニット１４７０は、アンテナ１４３５によってアクセスポイント１４０５に伝送されるアップリンク信号を生成するために記号の流れを受け取り、処理する。具体的に言うと、アップリンク信号は、ＳＣ−ＦＤＭＡ要件に従うものとすることができ、本明細書で説明するように周波数ホッピング機構を含むことができる。
【００９４】
アクセスポイント１４０５では、端末１４３０からのアップリンク信号が、アンテナ１４２５によって受信され、サンプルを入手するために受話器ユニット１４７５によって処理される。次に、記号復調器１４８０が、サンプルを処理し、アップリンクの受信されたパイロット記号およびデータ記号推定値を供給する。ＲＸデータプロセッサ１４８５が、端末１４３０によって伝送されたトラヒックデータを回復するためにデータ記号推定値を処理する。プロセッサ１４９０は、アップリンクで伝送するアクティブ端末ごとにチャネル推定を実行する。複数の端末が、パイロットサブバンドのそれぞれの割り当てられたセットでアップリンクで同時にパイロットを伝送することができ、ここで、パイロットサブバンドセットをインターレースすることができる。
【００９５】
プロセッサ１４９０および１４５０は、それぞれアクセスポイント１４０５および端末１４３０での動作を指示する（たとえば、制御する、調整する、管理するなど）。それぞれのプロセッサ１４９０および１４５０を、プログラムコードおよびデータを格納するメモリユニット（図示せず）に関連付けることができる。プロセッサ１４９０および１４５０は、それぞれアップリンクおよびダウンリンクの周波数レスポンス推定値およびインパルス応答推定値を導出するために計算を実行することもできる。
【００９６】
多元接続システム（たとえば、ＳＣ−ＦＤＭＡ、周波数分割多元接続、直交周波数分割多元接続、符号分割多元接続、時分割多元接続など）について、複数の端末が、アップリンクで同時に伝送することができる。そのようなシステムについて、パイロットサブバンドを、異なる端末の間で共用することができる。各端末のパイロットサブバンドが動作帯全体にまたがる（おそらくは帯の縁を除いて）場合には、チャネル推定技法を使用することができる。そのようなパイロットサブバンド構造は、各端末の周波数ダイバーシティを得るために望ましいはずである。本明細書で説明する技法を、さまざまな手段によって実施することができる。たとえば、これらの技法を、ハードウェア、ソフトウェア、またはその組合せで実施することができる。ディジタル、アナログ、またはディジタルとアナログとの両方とすることができるハードウェア実施態様について、チャネル推定に使用される処理ユニットを、１つまたは複数の特定用途向け集積回路（ＡＳＩＣ）、ディジタル信号プロセッサ（ＤＳＰ）、ディジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書に記載の機能を実行するように設計された他の電子ユニット、またはその組合せの中で実施することができる。ソフトウェアを用いて、実施態様を、本明細書に記載の機能を実行するモジュール（たとえば、手順、関数など）を介するものとすることができる。ソフトウェアコードを、メモリユニットに格納し、プロセッサ１４９０および１４５０によって実行することができる。
【００９７】
図１５に、１つまたは複数の態様に関連して利用できるものなど、複数の基地局（ＢＳ）１５１０（たとえば、無線アクセスポイント、無線通信装置）および複数の端末１５２０（たとえば、ＡＴ）を有する無線通信システム１５００を示す。ＢＳ（１５１０）は、一般に、端末と通信する固定局であり、アクセスポイント、Ｎｏｄｅ  Ｂ、または何らかの他の用語で呼ばれる可能性もある。各ＢＳ  １５１０は、１５０２ａ、１５０２ｂ、および１５０２ｃというラベルを付けられた、図１５で３つの地理的区域として図示された、特定の地理的区域またはカバレージエリアの通信カバレージを提供する。用語「セル」は、この用語が使用される文脈に応じて、ＢＳまたはそのカバレージエリアを指すことができる。システム容量を改善するために、ＢＳの地理的区域／カバレージエリアを、複数のより小さいエリア（たとえば、図１５のセル１５０２ａによる３つのより小さいエリア）１５０４ａ、１５０４ｂ、および１５０４ｃに区分することができる。各より小さいエリア（１５０４ａ、１５０４ｂ、１５０４ｃ）を、それぞれのＢＴＳ（base transceiver subsystem）によってサービスすることができる。用語「セクタ」は、この用語が使用される文脈に応じて、ＢＴＳまたはそのカバレージエリアを指すことができる。セクタ化されたセルについて、そのセルのすべてのセクタのＢＴＳは、通常、そのセルの基地局内に、同一の位置に配置される。本明細書で説明する伝送技法を、セクタ化されたセルを有するシステムならびにセクタ化されないセルを有するシステムに使用することができる。単純にするために、この説明では、そうではないと指定されない限り、用語「基地局」は、セクタにサービスする固定局ならびにセルにサービスする固定局に包括的に使用される。
【００９８】
端末１５２０は、通常、システム全体に散在し、各端末１５２０は、固定または移動体とすることができる。端末１５２０を、移動局、ユーザ機器、ユーザデバイス、無線通信装置、アクセス端末、ユーザ端末、または何らかの他の用語で呼ぶこともできる。端末１５２０を、無線デバイス、セル電話機、携帯情報端末（ＰＤＡ）、無線モデムカードなどとすることができる。各端末１５２０は、任意の所与の瞬間に、ダウンリンク（たとえば、ＦＬ）およびアップリンク（たとえば、ＲＬ）で０個、１個、または複数のＢＳ  １５１０と通信することができる。ダウンリンクは、基地局から端末への通信リンクを指し、アップリンクは、端末から基地局への通信リンクを指す。
【００９９】
集中アーキテクチャについて、システムコントローラ１５３０は、基地局１５１０に結合され、ＢＳ  １５１０に調整および制御を提供する。分散アーキテクチャについて、ＢＳ  １５１０は、必要に応じて互いに通信することができる（たとえば、ＢＳ  １５１０を通信的に結合する有線または無線のバックホール網によって）。順方向リンク上のデータ伝送は、しばしば、順方向リンクまたは通信システムによってサポートできる最大データレートまたはその付近で、１つのアクセスポイントから１つのアクセス端末へ発生する。順方向リンクの追加チャネル（たとえば、制御チャネル）を、複数のアクセスポイントから１つのアクセス端末へ伝送することができる。逆方向リンクデータ通信は、１つのアクセス端末から１つまたは複数のアクセスポイントへ発生することができる。
【０１００】
図１６は、さまざまな態様による、計画的なまたは半計画的な無線通信環境１６００の図である。システム１６００は、無線通信信号を受信し、互いにおよび／または１つもしくは複数の移動体デバイス１６０４に伝送し、中継するなどを行う、１つまたは複数のセルおよび／もしくはセクタ内の１つまたは複数のＢＳ  １６０２を備えることができる。図示されているように、各ＢＳ  １６０２は、１６０６ａ、１６０６ｂ、１６０６ｃ、および１６０６ｄというラベルを付けられた４つの地理的区域として図示された、特定の地理的区域の通信カバレージを提供することができる。当業者によって了解されるように、各ＢＳ  １６０２は、送信機チェーンおよび受話器チェーンを備えることができ、これらのチェーンのそれぞれは、信号の伝送および受信に関連する複数のコンポーネント（たとえば、プロセッサ、変調器、多重化装置、復調器、多重化解除装置、アンテナなど、図５を参照されたい）を備えることができる。移動体デバイス１６０４は、たとえば、セル電話機、スマートホン、ラップトップ機、ハンドヘルド通信デバイス、ハンドヘルドコンピューティングデバイス、衛星ラジオ、全地球測位システム、ＰＤＡ、または無線網１６００を介する通信に適切な任意の他のデバイスとすることができる。システム１６００を、本明細書で示すように、セルＩＤの関数として無線通信において参照信号をコーディングし、復号するのを容易にするために、本明細書に記載のさまざまな態様に関連して使用することができる。
【０１０１】
本開示で使用される際には、用語「コンポーネント」、「システム」、「モジュール」、および類似物は、ハードウェア、ソフトウェア、実行中のソフトウェア、ファームウェア、ミドルウェア、マイクロコード、および／またはその任意の組合せのいずれであれ、コンピュータ関連のエンティティを指すことが意図されている。たとえば、モジュールは、プロセッサ上で走行するプロセス、プロセッサ、オブジェクト、実行可能ファイル、実行のスレッド、プログラム、デバイス、および／またはコンピュータとすることができるが、これらであることに限定はされない。１つまたは複数のモジュールが、１つのプロセスまたは実行のスレッド内に常駐することができ、１つのモジュールを、１つの電子デバイス上で局所化するか、複数の電子デバイスの間で分散させることができる。さらに、これらのモジュールを、さまざまなデータ構造をその上に格納されたさまざまなコンピュータ可読媒体から実行することができる。モジュールは、１つまたは複数のデータパケットを有する信号に従うなど、ローカルプロセスまたは遠隔プロセスによって通信することができる（たとえば、ローカルシステム内の別のコンポーネント、分散システム、または信号によって他のシステムを伴うインターネットなどの網にまたがって相互作用する１つのコンポーネントからのデータ）。さらに、当業者が了解するように、本明細書に記載のシステムのコンポーネントまたはモジュールは、それに関して説明されるさまざまな態様、目標、利益などの達成を容易にするために再配置し、または追加のコンポーネント／モジュール／システムによって補完され得、所与の図面に示された正確な構成に限定はされない。
【０１０２】
さらに、さまざまな態様が、本明細書でＵＴに関連して説明される。ＵＴを、システム、加入者ユニット、加入者ステーション、移動局、移動体、移動体通信デバイス、移動体デバイス、遠隔ステーション、遠隔端末、アクセス端末（ＡＴ）、ユーザエージェント（ＵＡ）、ユーザデバイス、またはユーザ機器（ＵＥ）と呼ぶこともできる。加入者ステーションは、セル電話機、コードレス電話機、ＳＩＰ（Session Initiation Protocol）電話機、ＷＬＬ（wireless local loop）ステーション、携帯情報端末（ＰＤＡ）、無線接続機能を有するハンドヘルドデバイス、または無線モデムもしくは処理デバイスとの無線通信を容易にする類似する機構に接続された他の処理デバイスとすることができる。
【０１０３】
１つまたは複数の例示的実施形態では、説明される機能を、ハードウェア、ソフトウェア、ファームウェア、ミドルウェア、マイクロコード、またはその任意の適切な組合せで実施することができる。ソフトウェアで実施される場合に、機能を、コンピュータ可読媒体に格納するか、コンピュータ可読媒体上の１つまたは複数の命令またはコードとして伝送することができる。コンピュータ可読媒体は、ある場所から別の場所へのコンピュータプログラムの転送を容易にするすべての媒体を含む、コンピュータ記憶媒体と通信媒体との両方を含む。記憶媒体は、コンピュータによってアクセスできる任意の物理媒体とすることができる。限定ではなく例として、そのようなコンピュータ記憶媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、スマートカード、およびフラッシュメモリデバイス（たとえば、カード、スティック、キードライブ…）、または命令もしくはデータ構造の形で所望のプログラムコードを担持するか格納するのに使用でき、コンピュータによってアクセスできる任意の他の媒体を備えることができる。たとえば、ソフトウェアが、ウェブサイト、サーバ、または他の遠隔ソースから同軸ケーブル、光ファイバケーブル、より線対、ディジタル加入者回線（ＤＳＬ）、または赤外線、ラジオ、およびマイクロ波などの無線テクノロジを使用して伝送される場合に、同軸ケーブル、光ファイバケーブル、より線対、ＤＳＬ、または赤外線、ラジオ、およびマイクロ波などの無線テクノロジは、媒体の定義に含まれる。ディスク（ｄｉｓｋおよびｄｉｓｃ）は、本明細書で使用される際には、コンパクトディスク（ＣＤ）、レーザーディスク（登録商標）、光ディスク、ディジタル多用途ディスク（ＤＶＤ）、フロッピディスク、およびブルーレイディスクを含み、ここで、ｄｉｓｋは、通常、データを磁気的に再生し、ｄｉｓｃは、レーザーを用いてデータを光学的に再生する。上記の組合せも、コンピュータ可読媒体の範囲に含まれなければならない。
【０１０４】
ハードウェア実施態様について、本明細書で開示される態様に関連して説明した処理ユニットのさまざまな例示的なロジック、論理ブロック、モジュール、および回路を、１つまたは複数のＡＳＩＣ、ＤＳＰ、ＤＳＰＤ、ＰＬＤ、ＦＰＧＡ、ディスクリートゲートもしくはトランジスタロジック、ディスクリートハードウェアコンポーネント、汎用プロセッサ、コントローラ、マイクロコントローラ、マイクロプロセッサ、本明細書に記載の機能を実行するように設計された他の電子ユニット、またはその組合せの中で実施するか実行することができる。汎用プロセッサは、マイクロプロセッサとすることができるが、代替案では、プロセッサを、任意の通常のプロセッサ、コントローラ、マイクロコントローラ、または状態機械とすることができる。プロセッサを、コンピューティングデバイスの組合せ、たとえば、ＤＳＰおよびマイクロプロセッサの組合せ、複数のマイクロプロセッサ、ＤＳＰコアに関連する１つまたは複数のマイクロプロセッサ、または任意の他の適切な構成として実施することもできる。さらに、少なくとも１つのプロセッサは、本明細書に記載のステップおよび／またはアクションのうちの１つまたは複数を実行するように動作可能な１つまたは複数のモジュールを備えることができる。
【０１０５】
さらに、本明細書に記載のさまざまな態様または特徴を、標準的なプログラミング技法および／またはエンジニアリング技法を使用して、方法、装置、または製造品として実施することができる。さらに、本明細書で開示される態様に関連して説明される方法またはアルゴリズムのステップおよび／またはアクションを、ハードウェアで直接に、プロセッサによって実行されるソフトウェアモジュールで、またはこの２つの組合せで実施することができる。さらに、いくつかの態様で、方法またはアルゴリズムのステップまたはアクションは、コンピュータプログラム製品に組み込むことができる機械可読媒体またはコンピュータ可読媒体上のコードまたは命令の少なくとも１つまたは任意の組合せまたはセットとして存在することができる。用語「製造品」は、本明細書で使用される際には、任意の適切なコンピュータ可読デバイスまたはコンピュータ可読媒体からアクセス可能なコンピュータプログラムを含むことが意図されている。
【０１０６】
さらに、単語「例示的」は、本明細書では、例、実例、または例示として働くことを意味するのに使用される。本明細書で「例示的」として説明されるすべての態様または設計は、必ずしも、他の態様または設計より好ましいまたは有利と解釈されるものではない。そうではなく、単語例示的の使用は、具体的な形で概念を提示することを意図されたものである。本願で使用される際には、用語「または」は、排他的な「または」ではなく包括的な「または」を意味することが意図されている。すなわち、そうではないと指定されるか文脈から明白である場合を除いて、「ＸはＡまたはＢを使用する」は、自然に包括的な順列のすべてを意味することが意図されている。すなわち、ＸはＡを使用する、ＸはＢを使用する、またはＸはＡとＢとの両方を使用する場合に、「ＸはＡまたはＢを使用する」は、前述の実例のすべての下で満足される。さらに、冠詞「ａ」および「ａｎ」は、本願および添付の特許請求の範囲で使用される際には、そうではないと指定されるか文脈から単数形に向けられることが明白である場合を除いて、一般に「１つまたは複数」を意味すると解釈されなければならない。
【０１０７】
さらに、本明細書で使用される際には、用語「推論する」または「推論」は、一般に、イベントを介して取り込まれる観察のセットまたはデータからシステム、環境、またはユーザの状態に関して推理しまたはこれを推論するプロセスを指す。推論は、たとえば、特定の文脈またはアクションを識別するのに使用することができ、状態にわたる確率分布を生成することができる。推論は、確率的すなわち、データおよびイベントの考慮に基づく当該の状態にわたる確率分布の計算とすることができる。推論は、イベントまたはデータのセットからより高いレベルのイベントを組み立てるのに使用される技法を指すこともできる。そのような推論は、イベントが近い時間的近接で相関するか否かに関わりなく、また、イベントおよびデータが１つまたは複数のどちらのイベントソースおよびデータソースに由来するかに関わりなく、観察されたイベントおよび／または格納されたイベントデータのセットからの新しいイベントまたはアクションの構成をもたらす。
【０１０８】
上で説明されたものは、請求される主題の諸態様の例を含む。もちろん、請求される主題の記述においてコンポーネントまたは方法論のすべての考えられる組合せを記述することは不可能であるが、当業者は、開示された主題の多数のさらなる組合せおよび置換が可能であることを認めるであろう。したがって、開示された主題は、添付の特許請求の範囲の趣旨および範囲に含まれるすべてのそのような代替形態、修正形態、および変形形態を包含することが意図されている。さらに、用語「含む（ｉｎｃｌｕｄｅｓ）」または「有する（ｈａｓまたはｈａｖｉｎｇ）」が、この詳細な説明または特許請求の範囲のいずれかで使用される範囲で、そのような用語は、用語「備える（ｃｏｍｐｒｉｓｉｎｇ）」が特許請求の範囲で移行語として使用される際に「備える（ｃｏｍｐｒｉｓｉｎｇ）」が解釈されるのと同様に包括的であることが意図されている。
【図１】
2011519509.tif 000013
【図２】
2011519509.tif 000014
【図３】
2011519509.tif 000015
【図４】
2011519509.tif 000016
【図５】
2011519509.tif 000017
【図６】
2011519509.tif 000018
【図７】
2011519509.tif 000019
【図８】
2011519509.tif 000020
【図９】
2011519509.tif 000021
【図１０】
2011519509.tif 000022
【図１１】
2011519509.tif 000023
【図１２】
2011519509.tif 000024
【図１３】
2011519509.tif 000025
【図１４】
2011519509.tif 000026
【図１５】
2011519509.tif 000027
【図１６】
2011519509.tif 000028
【国際調査報告】
2011519509.tif 000029
2011519509.tif 000030
2011519509.tif 000031
2011519509.tif 000032
2011519509.tif 000033